(57)【要約】【課題】各表示装置を柔軟に配置することができ、かつ事前に設定を行うことなく表示装置自身が配されている位置を特定し、大画面表示を行うことができるマルチディスプレイシステム、表示装置、位置特定方法、コンピュータプログラム、及び記録媒体を提供する。【解決手段】複数の表示装置がマトリクス状に並設され、各表示装置が配された位置に応じた画像を表示するマルチディスプレイシステムにおける前記複数の表示装置は夫々、隣接する表示装置と通信を行う通信部と、行方向及び列方向における自装置の各側に隣接する表示装置の有無を判定する判定部と、該判定部が有と判定した側に隣接する表示装置との通信を前記通信部に行わせ、前記判定部が有と判定した側に配された自装置と異なる他の表示装置の数を取得する取得部と、該取得部が取得した数及び前記判定部の判定結果に基づいて、自装置が配された位置を特定する特定部とを備える。【選択図】図７
2016009075.tif 000002
【特許請求の範囲】
【請求項１】
複数の表示装置がマトリクス状に並設され、各表示装置が配された位置に応じた画像を表示するマルチディスプレイシステムであって、
前記複数の表示装置は夫々、
隣接する表示装置と通信を行う通信部と、
行方向及び列方向における自装置の各側に隣接する表示装置の有無を判定する判定部と、
該判定部が有と判定した側に隣接する表示装置との通信を前記通信部に行わせ、前記判定部が有と判定した側に配された自装置と異なる他の表示装置の数を取得する取得部と、
該取得部が取得した数及び前記判定部の判定結果に基づいて、自装置が配された位置を特定する特定部と
を備えることを特徴とするマルチディスプレイシステム。
【請求項２】
前記取得部は、前記判定部が有と判定した側に隣接する表示装置へ、前記判定部が有と判定した側に配された自装置と異なる他の表示装置の数を送信させるための要求を前記通信部に送信させるようにしてあり、
前記複数の表示装置は夫々、
前記要求を前記通信部が受信したとき、該要求に対応する表示装置の数を決定する決定部と、
該決定部が決定した表示装置の数を、対応する要求の送信元の表示装置へ前記通信部に送信させる応答指示部と
を更に備え、
前記取得部は更に、前記判定部が有と判定した側に隣接する表示装置から、対応する表示装置の数を前記通信部が受信したとき、該表示装置の数を、前記判定部が有と判定した側に配された自装置と異なる他の表示装置の数として取得するようにしてあること
を特徴とする請求項１に記載のマルチディスプレイシステム。
【請求項３】
前記複数の表示装置は夫々、
前記要求を前記通信部が受信したとき、該要求の送信元の表示装置と反対側に隣接する表示装置の有無を判定する第２判定部と、
該第２判定部が有と判定した場合、前記反対側に隣接する表示装置との通信を前記通信部に行わせ、前記反対側に配された自装置と異なる他の表示装置の数を取得する第２取得部と
を更に備え、
前記決定部は、
前記第２判定部が有と判定した場合、前記第２取得部が取得した自装置と異なる他の表示装置の数に１を加算した値を、前記要求に対応する表示装置の数として決定するようにしてあり、
前記第２判定部が無と判定した場合、前記要求に対応する表示装置の数を１と決定するようにしてあること
を特徴とする請求項２に記載のマルチディスプレイシステム。
【請求項４】
前記複数の表示装置は夫々、背面の各縁部領域に接続部を設けてあり、
前記通信部は、前記接続部に着脱可能に接続され、接続された接続部が設けられている縁部領域に隣接する表示装置と近距離無線通信により通信を行うように構成されていること
を特徴とする請求項１から３までの何れか一つに記載のマルチディスプレイシステム。
【請求項５】
前記判定部は、行方向及び列方向における自装置の各側の前記縁部領域に設けられた接続部に前記通信部が接続されているか否かにより、前記行方向及び列方向における自装置の各側に隣接する表示装置の有無を判定するようにしてあること
を特徴とする請求項４に記載のマルチディスプレイシステム。
【請求項６】
マトリクス状に配された位置に応じた画像を表示するマルチディスプレイ用の表示装置であって、
他の表示装置と通信を行う通信部と、
行方向及び列方向における自装置の各側に隣接する表示装置の有無を判定する判定部と、
該判定部が有と判定した側に隣接する表示装置との通信を前記通信部に行わせ、前記判定部が有と判定した側に配された自装置と異なる他の表示装置の数を取得する取得部と、
該取得部が取得した数及び前記判定部の判定結果に基づいて、自装置が配された位置を特定する特定部と
を備えることを特徴とする表示装置。
【請求項７】
通信機能を有する表示装置が、一又は複数の他の表示装置と共にマトリクス状に配されたときに自装置の位置を特定する位置特定方法であって、
行方向及び列方向における自装置の各側に隣接する表示装置の有無を判定する判定ステップと、
該判定ステップで有と判定した側に隣接する表示装置と通信を行い、前記判定ステップで有と判定した側に配された自装置と異なる他の表示装置の数を取得する取得ステップと、
該取得ステップで取得した数及び前記判定ステップでの判定結果に基づいて、自装置が配された位置を特定する特定ステップと
を含むことを特徴とする位置特定方法。
【請求項８】
通信機能を有するマルチディスプレイ用の表示装置を構成するコンピュータに、マトリクス状に配されたときにおける自装置の位置に応じた画像を表示させるコンピュータプログラムであって、
コンピュータに、
行方向及び列方向における自装置の各側に隣接する表示装置の有無を判定する判定ステップと、
該判定ステップで有と判定した側に隣接する表示装置と通信を行い、前記判定ステップで有と判定した側に配された自装置と異なる他の表示装置の数を取得する取得ステップと、
該取得ステップで取得した数及び前記判定ステップでの判定結果に基づいて、自装置が配された位置を特定する特定ステップと
を実行させることを特徴とするコンピュータプログラム。
【請求項９】
請求項８に記載のコンピュータプログラムを記録してあることを特徴とするコンピュータでの読み取りが可能な記録媒体。
【発明の詳細な説明】
【技術分野】
【０００１】
本発明は、複数の表示装置が配された位置に応じて画像を表示するマルチディスプレイシステム及び当該マルチディスプレイシステムに用いられる表示装置に関する。また、本発明は、当該表示装置が配された位置を特定する位置特定方法、コンピュータプログラム、及び記録媒体に関する。
【背景技術】
【０００２】
表示装置は、コンピュータのディスプレイ、テレビジョン受像機、及び各種の情報を表示する情報ディスプレイ等に広く利用されている。近年、複数の表示装置を並べて配し、各表示装置が有する表示部夫々に１枚の画像の一部ずつを表示することによって、大画面表示を行うマルチディスプレイシステムが知られている。当該表示部には、液晶パネルが利用されることがある。
【０００３】
例えば特許文献１に記載のマルチディスプレイシステムは、複数の表示装置を所定の接続形態に従って直列接続し、先頭の表示装置から終端の表示装置まで、順に表示に係る映像信号を伝送する。このとき、当該マルチディスプレイシステムでは、先頭の表示装置から順に、接続してある表示装置に伝送される毎に値がインクリメントされる配列番号を、映像信号と共に伝送する。また、各表示装置は、所定の接続形態を夫々記憶している。従って、各表示装置が当該接続形態及び配列番号に基づいて、自装置が配されている位置を特定し、映像信号が表す映像の全体領域の内、特定した位置に応じた領域の画像を表示することで、当該マルチディスプレイシステムでは大画面表示を行うことができる。このようなマルチディスプレイシステムにおいては、表示装置毎に、表示すべき領域を設定することなく大画面表示を行うことができる。
【先行技術文献】
【特許文献】
【０００４】
【特許文献１】特開２００９−２７１４２４号公報
【発明の概要】
【発明が解決しようとする課題】
【０００５】
しかしながら、特許文献１に記載のようなマルチディスプレイシステムにおいては、マルチディスプレイを構成する表示装置の行数や列数、接続順を各表示装置に設定しておく必要があり、当該マルチディスプレイシステムでは、表示装置の配置の柔軟性に問題がある。
【０００６】
本発明は斯かる事情に鑑みてなされたものであり、その目的は、各表示装置を柔軟に配置することができ、かつ事前に設定を行うことなく表示装置自身が配されている位置を特定し、大画面表示を行うことができるマルチディスプレイシステム、表示装置、位置特定方法、コンピュータプログラム、及び記録媒体を提供することにある。
【課題を解決するための手段】
【０００７】
本発明に係るマルチディスプレイシステムは、複数の表示装置がマトリクス状に並設され、各表示装置が配された位置に応じた画像を表示するマルチディスプレイシステムであって、前記複数の表示装置は夫々、隣接する表示装置と通信を行う通信部と、行方向及び列方向における自装置の各側に隣接する表示装置の有無を判定する判定部と、該判定部が有と判定した側に隣接する表示装置との通信を前記通信部に行わせ、前記判定部が有と判定した側に配された自装置と異なる他の表示装置の数を取得する取得部と、該取得部が取得した数及び前記判定部の判定結果に基づいて、自装置が配された位置を特定する特定部とを備えることを特徴とする。
【０００８】
本発明に係るマルチディスプレイシステムは、前記取得部は、前記判定部が有と判定した側に隣接する表示装置へ、前記判定部が有と判定した側に配された自装置と異なる他の表示装置の数を送信させるための要求を前記通信部に送信させるようにしてあり、前記複数の表示装置は夫々、前記要求を前記通信部が受信したとき、該要求に対応する表示装置の数を決定する決定部と、該決定部が決定した表示装置の数を、対応する要求の送信元の表示装置へ前記通信部に送信させる応答指示部とを更に備え、前記取得部は更に、前記判定部が有と判定した側に隣接する表示装置から、対応する表示装置の数を前記通信部が受信したとき、該表示装置の数を、前記判定部が有と判定した側に配された自装置と異なる他の表示装置の数として取得するようにしてあることを特徴とする。
【０００９】
本発明に係るマルチディスプレイシステムは、前記複数の表示装置は夫々、前記要求を前記通信部が受信したとき、該要求の送信元の表示装置と反対側に隣接する表示装置の有無を判定する第２判定部と、該第２判定部が有と判定した場合、前記反対側に隣接する表示装置との通信を前記通信部に行わせ、前記反対側に配された自装置と異なる他の表示装置の数を取得する第２取得部とを更に備え、前記決定部は、前記第２判定部が有と判定した場合、前記第２取得部が取得した自装置と異なる他の表示装置の数に１を加算した値を、前記要求に対応する表示装置の数として決定するようにしてあり、前記第２判定部が無と判定した場合、前記要求に対応する表示装置の数を１と決定するようにしてあることを特徴とする。
【００１０】
本発明に係るマルチディスプレイシステムは、前記複数の表示装置は夫々、背面の各縁部領域に接続部を設けてあり、前記通信部は、前記接続部に着脱可能に接続され、接続された接続部が設けられている縁部領域に隣接する表示装置と近距離無線通信により通信を行うように構成されていることを特徴とする。
【００１１】
本発明に係るマルチディスプレイシステムは、前記判定部は、行方向及び列方向における自装置の各側の前記縁部領域に設けられた接続部に前記通信部が接続されているか否かにより、前記行方向及び列方向における自装置の各側に隣接する表示装置の有無を判定するようにしてあることを特徴とする。
【００１２】
本発明に係る表示装置は、マトリクス状に配された位置に応じた画像を表示するマルチディスプレイ用の表示装置であって、他の表示装置と通信を行う通信部と、行方向及び列方向における自装置の各側に隣接する表示装置の有無を判定する判定部と、該判定部が有と判定した側に隣接する表示装置との通信を前記通信部に行わせ、前記判定部が有と判定した側に配された自装置と異なる他の表示装置の数を取得する取得部と、該取得部が取得した数及び前記判定部の判定結果に基づいて、自装置が配された位置を特定する特定部とを備える。
【００１３】
本発明に係る位置特定方法は、通信機能を有する表示装置が、一又は複数の他の表示装置と共にマトリクス状に配されたときに自装置の位置を特定する位置特定方法であって、行方向及び列方向における自装置の各側に隣接する表示装置の有無を判定する判定ステップと、該判定ステップで有と判定した側に隣接する表示装置と通信を行い、前記判定ステップで有と判定した側に配された自装置と異なる他の表示装置の数を取得する取得ステップと、該取得ステップで取得した数及び前記判定ステップでの判定結果に基づいて、自装置が配された位置を特定する特定ステップとを含むことを特徴とする。
【００１４】
本発明に係るコンピュータプログラムは、通信機能を有するマルチディスプレイ用の表示装置を構成するコンピュータに、マトリクス状に配されたときにおける自装置の位置に応じた画像を表示させるコンピュータプログラムであって、コンピュータに、行方向及び列方向における自装置の各側に隣接する表示装置の有無を判定する判定ステップと、該判定ステップで有と判定した側に隣接する表示装置と通信を行い、前記判定ステップで有と判定した側に配された自装置と異なる他の表示装置の数を取得する取得ステップと、該取得ステップで取得した数及び前記判定ステップでの判定結果に基づいて、自装置が配された位置を特定する特定ステップとを実行させることを特徴とする。
【００１５】
本発明に係るコンピュータでの読み取りが可能な記録媒体は、上述のコンピュータプログラムを記録してあることを特徴とする。
【発明の効果】
【００１６】
本発明によれば、各表示装置を柔軟に配置することができ、かつ事前に設定を行うことなく表示装置自身が配されている位置を特定し、大画面表示を行うことができる。
【図面の簡単な説明】
【００１７】
【図１】実施形態１におけるマルチディスプレイシステムの構成を示す模式図（正面図）である。
【図２】表示装置及びＮＦＣモジュールの構成を示すブロック図である。
【図３】制御部の構成を示すブロック図である。
【図４】表示装置の背面側を示す模式図である。
【図５】隣接する表示装置夫々に設けられた各ＮＦＣモジュールの位置関係を示す説明図である。
【図６】表示装置が自装置の位置を特定するときの通信手順を示す説明図である。
【図７】表示装置が自装置の位置を特定し、画像を表示するときの処理手順を示すフローチャートである。
【図８】取得処理のサブルーチンを示すフローチャートである。
【図９】表示装置が自装置に隣接する表示装置から要求を受信したときの処理手順を示すフローチャートである。
【発明を実施するための形態】
【００１８】
以下、本発明をその実施の形態を示す図面に基づいて詳述する。
【００１９】
（実施形態１）
図１は、実施形態１におけるマルチディスプレイシステムの構成を示す模式図（正面図）である。実施形態１におけるマルチディスプレイシステムは、マトリクス状に配された６つの表示装置１Ａ、１Ｂ、１Ｃ、１Ｄ、１Ｅ、及び１Ｆと入力装置２とを備える。図１においては、表示装置１Ａ〜１Ｆは３行×２列の配列で並設され、入力装置２が通信線を介して表示装置１Ｆと接続している例が示されている。各表示装置１Ａ〜１Ｆは、画像を表示する表示面を備え、入力装置２から入力される画像信号が表す１つの画像の該当箇所を表示面に拡大表示する。このとき、各表示装置１Ａ〜１Ｆは、自装置が配された位置に基づいて、拡大表示を行うことで、表示装置１Ａ〜１Ｆ全体に当該画像が表示される。以下では適宜、表示装置１Ａ〜１Ｆ夫々を表示装置１と表記する。なお、実施形態１においては、複数の表示装置１が３行×２列の配列で並設されているが、複数の表示装置１がマトリクス状に配されていれば、行数及び列数は問わない。即ち、表示装置１は、１行×複数列の配列で並設されてもよいし、複数行×１列の配列で並設されてもよいし、複数行×複数列の配列で並設されてもよい。
【００２０】
入力装置２は、例えばパーソナルコンピュータ又はサーバ装置等より構成され、表示装置１に表示させる画像に係る画像信号を、通信線に接続された表示装置１に出力する。図１では、入力装置２は、接続されている表示装置１Ｆに画像信号を出力する。
【００２１】
表示装置１は、テレビジョン受信機又はディスプレイとして用いられ、表示面を有する液晶パネル１０ａ（図２参照）と筐体とを備える。筐体は、表示面が表示装置１の正面となるように液晶パネル１０ａを収容している。実施形態１におけるマルチディスプレイシステムにおいて、各表示装置１は、隣接する他の表示装置１と近距離無線通信により通信を行うことで、自装置が配された位置を特定し、画像表示を行う。このとき、表示装置１と隣接する他の表示装置１との近距離無線通信による通信は、互いに着脱自在に接続されたＮＦＣ（Near Field Communication）モジュール３（図４参照）間で通信を行うことにより実現される。
【００２２】
図２は、表示装置１及びＮＦＣモジュール３の構成を示すブロック図である。表示装置１は、液晶パネル１０ａと、直下型のバックライト１１ａとを備えている。バックライト１１ａは、液晶パネル１０ａの背面側に、発光面を液晶パネル１０ａに向けて配置されており、液晶パネル１０ａを背面側から照明する。バックライト１１ａは、例えば複数のＬＥＤを液晶パネル１０ａの背面にマトリクス状に配置してなる。表示装置１は、バックライト１１ａに含まれるＬＥＤ（Light Emitting Diode）の明るさを個別に制御することにより、液晶パネル１０ａに表示される画像を分割した複数の領域の明るさをローカルディミングにより個別に調整することができる。なお、バックライト１１ａは、光ファイバ等、ＬＥＤ以外の光源を用いた形態であってもよい。
【００２３】
液晶パネル１０ａには、液晶を駆動させるためのソースドライバ１０ｂ及びゲートドライバ１０ｃが接続されている。ソースドライバ１０ｂ及びゲートドライバ１０ｃは、液晶の駆動のタイミングを制御するＬＣＤタイミングコントローラ１０ｄに接続されている。バックライト１１ａには、各ＬＥＤを動作させるＬＥＤドライバ１１ｂが接続されている。ＬＥＤドライバ１１ｂは、バックライト１１ａのＬＥＤにおける動作のタイミングを制御するＬＥＤタイミングコントローラ１１ｃに接続されている。
【００２４】
表示装置１は、各種のインタフェースを介して外部から画像信号を入力される画像信号入力部１４ａと、テレビジョンの放送波を受信して画像信号を生成するチューナ１４ｂとを備えている。なお、表示装置１はチューナ１４ｂを備えていない形態であってもよい。画像信号入力部１４ａ及びチューナ１４ｂは、画像信号処理部１３に接続されており、画像信号処理部１３へ画像信号を入力する。画像信号処理部１３は、画像信号に対して、画像サイズの変換又は文字の重ね合わせ等の信号処理を行う。さらに、画像信号処理部１３は、画像信号に対して、彩度の調整又はシャープネスの調整等、画質を調整する処理を行う。画像信号処理部１３は、ＬＣＤ／ＬＥＤデータ処理部１２に接続されており、ＬＣＤ／ＬＥＤデータ処理部１２へ画像信号を入力する。また、ＬＣＤ／ＬＥＤデータ処理部１２にはＬＣＤタイミングコントローラ１０ｄ及びＬＥＤタイミングコントローラ１１ｃが接続されている。ＬＣＤ／ＬＥＤデータ処理部１２は、画像信号から、液晶パネル１０ａを動作させるための表示情報とバックライト１１ａを動作させるための点灯情報とを生成し、表示情報をＬＣＤタイミングコントローラ１０ｄへ入力し、点灯情報をＬＥＤタイミングコントローラ１１ｃへ入力する。ＬＣＤタイミングコントローラ１０ｄは、表示情報に基づいて液晶の駆動のタイミングを制御する。ＬＥＤタイミングコントローラ１１ｃは、点灯情報に基づいてＬＥＤの動作のタイミングを制御する。
【００２５】
また、表示装置１は、圧縮伸張部１５を備えている。圧縮伸張部１５は、画像信号処理部１３及び後述の制御部１６に接続されており、画像信号処理部１３から入力された画像信号（画像データ）を圧縮し、圧縮した画像信号を制御部１６に出力する。また、制御部１６から入力された画像信号を伸張し、伸張した画像信号を画像信号処理部１３に出力する。このとき、圧縮伸張部１５は、ＭｏｔｉｏｎＪＰＥＧ、ＭＰＥＧ、又はＨ．２６４ ＳＶＣ等の非可逆圧縮又は可逆圧縮を行う規格により、画像信号の圧縮又は伸張を行う。
【００２６】
表示装置１は、各部を制御する制御部１６を備えている。制御部１６は、例えばＣＰＵ１６ａ（図３参照）を含んで構成されている。制御部１６には、使用者の操作を受け付ける操作部１７ａと、図示しないリモートコントローラからの制御信号を受信する受信部１７ｂとが接続されている。なお、表示装置１は受信部１７ｂを備えていない形態であってもよい。
【００２７】
また、制御部１６には、接続部１８が接続されている。接続部１８は、例えばＵＳＢ（Universal Serial Bus）等の情報の伝送が可能なインタフェースに対応する端子を含み、当該端子にＮＦＣモジュール３が着脱自在に接続されている。制御部１６は、接続部１８を介してＮＦＣモジュール３と情報の授受を行う。
【００２８】
ＮＦＣモジュール３は、端子部３１、変復調部３２、送受信部３３、及びアンテナ部３４を備え、他のＮＦＣモジュール３と近距離無線通信により通信を行う。端子部３１は、例えばＵＳＢ等の情報の伝送が可能なインタフェースに対応する端子を含み、表示装置１の接続部１８と着脱自在に接続する。変復調部３２は、端子部３１及び後述の送受信部３３に接続され、表示装置１の制御部１６から接続部１８及び端子部３１を介して入力された情報に基づく変調、及び送受信部３３から入力された情報に基づく復調を行う。このとき、変復調部３２は、例えばＩＳＯ／ＩＥＣ１４４４３、ＩＳＯ／ＩＥＣ１８０９２等の近距離無線通信の規格に準拠した通信プロトコルに基づいて、入力された情報に基づく変調又は復調を行う。送受信部３３は、例えば変復調部３２及び後述のアンテナ部３４に接続された送受信回路として構成されている。送受信部３３は、変復調部３２が変調した情報をアンテナ部３４に出力し、アンテナ部３４から入力された情報を変復調部３２に出力する。アンテナ部３４は、近距離無線通信の規格に準拠した周波数の電磁波を送受信可能なアンテナであり、例えばパッチアンテナ等の平板状のアンテナで構成されている。
【００２９】
なお、表示装置１のバックライト１１ａに含まれるマトリクス状に配置された複数のＬＥＤは、個別に輝度の調整が可能な複数の制御エリアに分割されている。一つの制御エリアには、一つのＬＥＤのみが含まれていてもよく、複数のＬＥＤが含まれていてもよい。液晶パネル１０ａが表示する画像は、バックライト１１ａに含まれる複数の制御エリアに照明される複数の領域に分割される。液晶パネル１０ａ内で、画像中の各領域に対応するバックライト１１ａの制御エリアから照明された部分が、画像中の各領域を表示する。例えば、バックライト１１ａが１６×８の制御エリアに分割されており、液晶パネル１０ａが１９２０×１０８０画素の画像を表示する場合は、画像中の各領域には１２０×１３５の画素が含まれる。バックライト１１ａの制御エリアの輝度が個別に制御されることにより、画像中の各領域の明るさが個別に調整されるローカルディミングが行われる。このとき、ローカルディミングの処理は、ＬＣＤ／ＬＥＤデータ処理部１２で行われる。ＬＣＤ／ＬＥＤデータ処理部１２は、バックライト１１ａ中の各制御エリアでの輝度を個別に決定する。例えば、ＬＣＤ／ＬＥＤデータ処理部１２は、画像中の各領域中の画素の中から最大の輝度を求め、求めた輝度が得られるような値に各制御エリアでの輝度を定める。ＬＣＤ／ＬＥＤデータ処理部１２は、決定した各制御エリアでの輝度の値をＬＥＤタイミングコントローラ１１ｃへ入力することにより、バックライト１１ａの輝度を調整する。
【００３０】
また、表示装置１は、液晶パネル１０ａの背面側に平板状の導光板を備え、バックライト１１ａが当該導光板内に、表示装置１の一端部から光を照射するエッジライト型の表示装置１であってもよい。また、表示装置１は、液晶パネル１０ａに代えて、有機ＥＬ（Electro Luminescence）、電子ペーパー等の各種表示パネルが用いられてもよい。
【００３１】
図３は、制御部１６の構成を示すブロック図である。制御部１６は、ＣＰＵ１６ａ、ＲＯＭ１６ｂ、ＲＡＭ１６ｃ、及び入出力部１６ｄを備える。ＣＰＵ１６ａは、例えば一又は複数のＣＰＵ（Central Processing Unit）、マルチコアＣＰＵ等により構成される。ＲＯＭ１６ｂは、ＥＥＰＲＯＭ（Electrically Erasable and Programmable ROM：登録商標）、フラッシュメモリ、ＨＤＤ（Hard Disk Drive）等の不揮発性メモリにより構成される。ＲＯＭ１６ｂには、制御プログラム１６ｅが記憶されている。制御プログラム１６ｅは、ＣＰＵ１６ａが自装置の各部を制御するときの処理内容と他の表示装置１と通信を行うときの処理内容とが記述されたプログラムである。ＲＡＭ１６ｃは、ＳＲＡＭ（Static RAM）、ＤＲＡＭ（Dynamic RAM）等のメモリにより構成される。ＣＰＵ１６ａは、制御プログラム１６ｅをＲＡＭ１６ｃに展開する。入出力部１６ｄは、制御部１６に接続された各部と情報の授受を行うときのインタフェースである。
【００３２】
また、表示装置１は、読取部１９を備える。読取部１９は、ＣＤ−ＲＯＭ、ＤＶＤ、ブルーレイディスク、フレキシブルディスク、半導体メモリ、プログラマブルな論理回路、テープ、又はカード等の記録媒体４から情報を読み取ることが可能である。ＣＰＵ１６ａは、読取部１９により読み出された記録媒体４に記録されている情報を、ＲＯＭ１６ｂに記憶するか、又はＲＡＭ１６ｃに記憶する。記録媒体４には、ＣＰＵ１６ａが実行することにより表示装置１が動作するための制御プログラム４１が記録されている。ＲＯＭ１６ｂに記憶されている制御プログラム１６ｅは、記録媒体４から読取部１９が読み取った制御プログラム４１の複製であってもよい。また、ＲＯＭ１６ｂに記憶された制御プログラム１６ｅは、当該制御プログラム１６ｅを伝送可能な、通信ネットワークや放送波等の任意の伝送媒体を介して制御部１６に伝送されてもよい。なお、本発明は、制御プログラム１６ｅが電子的な伝送における搬送波に埋め込まれた情報信号の形態でも実現され得る。
【００３３】
次に、表示装置１へのＮＦＣモジュール３の接続態様について説明する。図４は、表示装置１の背面側を示す模式図である。図４では、表示装置１Ｃを例に、当該接続態様について説明する。表示装置１の背面、即ち筐体の背面における各辺部（縁部領域）の略中央には、接続部１８が設けられている。ＮＦＣモジュール３は、例えば直方体状のハウジングを備え、アンテナ部３４と端子部３１とにより構成されている。ＮＦＣモジュール３は、端子部３１が接続部１８に挿入されることで表示装置１Ｃに接続される。表示装置１Ｃに接続されたＮＦＣモジュール３のアンテナ部３４は、表示装置１Ｃの背面の縁部領域において外側を向いて配置される。
【００３４】
実施形態１におけるマルチディスプレイシステムにおいて、各表示装置１は、他の表示装置１に隣接する側に設けられた接続部１８にＮＦＣモジュール３が接続される。図３の例においては、表示装置１Ｃは、表示装置１Ａ、１Ｄ、及び１Ｅ側の接続部１８に夫々に、ＮＦＣモジュール３が接続されている。
【００３５】
図５は、隣接する表示装置１夫々に設けられた各ＮＦＣモジュール３の位置関係を示す説明図である。図５は、表示装置１Ａ及び１Ｃの隣接部分の拡大側面図を示している。以下では、表示装置１Ａ、１Ｃ夫々に接続されているＮＦＣモジュール３夫々を、ＮＦＣモジュール３Ａ、３Ｃと表記する。表示装置１Ａに接続されたＮＦＣモジュール３Ａのアンテナ部３４Ａは、表示装置１Ａの背面の縁部領域において外側を向いている。表示装置１Ｃに接続されたＮＦＣモジュール３Ｃのアンテナ部３４Ｃは、表示装置１Ｃの背面の縁部領域において外側を向いている。従って、ＮＦＣモジュール３Ａ及び３Ｃは、アンテナ部３４Ａとアンテナ部３４Ｃが対向し、かつ近接するように配置されている。このように配されたＮＦＣモジュール３Ａ及び３Ｃを介して、表示装置１Ａ及び１Ｃは近距離無線通信により通信を行う。
【００３６】
以上のような接続態様で表示装置１にＮＦＣモジュール３を接続することにより、通信を行う２つのＮＦＣモジュール３の各アンテナ部３４が近接するため、隣接する表示装置１間での通信を確実に行うことができる。また、接続部１８が、表示装置１の筐体の背面における各辺部の略中央に設けられているため、異なる辺部の接続部１８に接続されたＮＦＣモジュール３間での混信を確実に防止することができる。なお、接続部１８は、自装置が隣接する表示装置１とＮＦＣモジュール３を介して通信可能であれば、当該各辺部の略中央以外の他の位置に設けられていてもよい。
【００３７】
次に、表示装置１が配された位置を特定するときの通信手順について説明する。図６は、表示装置１が自装置の位置を特定するときの通信手順を示す説明図である。図６において、正面を向いている表示装置１Ａ〜１Ｆが示され、表示装置１Ａが配された位置を特定するときの通信手順が示されている。なお、以下の説明における方向は、図６において矢印で示す上下及び左右で定義される。
【００３８】
まず、表示装置１Ａは、右側に隣接する表示装置１Ｂに、自装置の右側に配された表示装置１の数を送信させるための要求を送信する（手順Ｐ１）。表示装置１Ａから要求を受信した表示装置１Ｂは、自装置の右側に隣接する表示装置１が存在しないことを確認し、当該要求に対応する表示装置１の数を１と決定する。即ち、決定した値１は、表示装置１Ａの右側に配された他の表示装置１が表示装置１Ｂのみであることを示している。その後、表示装置１Ｂは、当該値１を表示装置１Ａに送信する（手順Ｐ２）。表示装置１Ｂから値１を受信した表示装置１Ａは、自装置の右側に１つの他の表示装置１が配されていることを記憶する。
【００３９】
次いで、表示装置１Ａは、下側に隣接する表示装置１Ｃに、自装置の下側に配された表示装置１の数を送信させるための要求を送信する（手順Ｐ３）。表示装置１Ａから要求を受信した表示装置１Ｃは、自装置の下側に配された表示装置１の数を送信させるための要求を、自装置の下側に隣接する表示装置１Ｅに送信する（手順Ｐ４）。表示装置１Ｃから要求を受信した表示装置１Ｅは、自装置の下側に隣接する表示装置１が存在しないことを確認し、当該要求に対応する表示装置１の数を、１と決定する。即ち、決定した値１は、表示装置１Ｃの下側に配された他の表示装置が表示装置１Ｅのみであるということを示している。その後、表示装置１Ｅは、当該値１を表示装置１Ｃに送信する（手順Ｐ５）。値１を受信した表示装置１Ｃは、手順Ｐ３で受信した表示装置１Ａからの要求に対応する表示装置１の数を、当該値１に１を加算した値２と決定する。即ち、決定した値２は、表示装置１Ａの下側に配された他の表示装置は、表示装置１Ｃの下側に配された表示装置１Ｅと、表示装置１Ｃとであることを示している。表示装置１Ｃは、決定した値２を表示装置１Ａに送信する（手順Ｐ６）。表示装置１Ｃから値２を受信した表示装置１Ａは、自装置の下側に２つの他の表示装置１が配されていることを記憶する。
【００４０】
その後、表示装置１Ａは、自装置の上側及び左側に隣接する表示装置１が存在しないことを確認し、自装置が配されている位置を特定する。具体的には、表示装置１Ａは、自装置の右側には１つの表示装置１が配され、下側には２つの表示装置１が配され、上側及び左側には表示装置１が配されていないということに基づいて、自装置が左上に配されていることを特定する。
【００４１】
実施形態１におけるマルチディスプレイシステムにおいては、以上のような通信手順が各表示装置１夫々を起点として行われる。従って、各表示装置１は、自装置の位置を特定するために要求を送信する処理と、他の表示装置１からの要求を受信する処理とが並列的に行われる。各表示装置１は、自装置が配された位置を特定した後、当該位置に基づいて、画像を拡大表示する。このとき、表示する画像を表す画像信号は、入力装置２から表示装置１Ｆの画像信号入力部１４ａに入力された後、ＮＦＣモジュール３を介して順次各表示装置１に送信される。各表示装置１が当該通信手順を行う起点となるタイミングは、画像信号が入力されたときであってもよいし、起点となるべきタイミングを表す別の制御信号が入力されたときであってもよい。なお、画像信号は、隣接する表示装置１間の通信で送信されればよく、送信される順序は問わない。また、当該位置に基づいて画像を拡大表示する方法については、種々の公知の方法を適用することが可能であり、説明を省略する。
【００４２】
図７は、表示装置１が自装置の位置を特定し、画像を表示するときの処理手順を示すフローチャートである。以下では、適宜図６における上下左右の向きを用いて説明する。表示装置１における制御部１６のＣＰＵ１６ａは、配列された表示装置１Ａ〜１Ｆの行方向及び列方向における自装置の各側（方向）に隣接する表示装置１の存在の有無を判定する（ステップＳ１１）。実施形態１において各側とは、図６中の上側（上方向）、下側（下方向）、左側（左方向）、及び右側（右方向）である。例えば、ＣＰＵ１６ａは、接続部１８にＮＦＣモジュール３が接続されているか否かにより判定を行う。ＣＰＵ１６ａはステップＳ１１で制御プログラム１６ｅを実行することにより、本発明の判定部として機能する。
【００４３】
自装置に隣接する表示装置１が存在すると判定した場合（Ｓ１１：ＹＥＳ）、ＣＰＵ１６ａは、取得処理を行う（ステップＳ１２）。例えば、表示装置１ＡのＣＰＵ１６ａは、下側又は右側についてステップＳ１１の判定を行ったとき、ステップＳ１２の取得処理を行う。取得処理は、ステップＳ１１で判定した側に配された自装置と異なる他の表示装置１の数を取得する処理であり、詳細は後述する。なお、ＣＰＵ１６ａは、ステップＳ１２で制御プログラム１６ｅを実行することにより、本発明の取得部として機能する。
【００４４】
自装置に隣接する表示装置１が存在しないと判定した場合（Ｓ１１：ＮＯ）、ＣＰＵ１６ａは、ステップＳ１１で判定した側に配された自装置と異なる他の表示装置１の数が０であることをＲＡＭ１６ｃに記憶する（ステップＳ１３）。例えば、表示装置１ＡのＣＰＵ１６ａは、上側又は左側についてステップＳ１１の判定を行ったとき、ステップＳ１３の処理を行う。
【００４５】
ステップＳ１２又はステップＳ１３の処理の後、ＣＰＵ１６ａは、自装置の各側についてステップＳ１１の判定処理が完了したか否かを判定する（ステップＳ１４）。完了していないと判定した場合（Ｓ１４：ＮＯ）、ＣＰＵ１６ａは、ステップＳ１１に処理を戻し、先のステップＳ１１で判定した側と異なる側に隣接する表示装置１の存在の有無を判定する。例えば、表示装置１ＡのＣＰＵ１６ａが先のステップＳ１１で下側について判定を行ったとき、次のステップＳ１１では上側、左側、又は右側に隣接する表示装置１の存在の有無を判定する。
【００４６】
自装置の各側についてステップＳ１１の判定処理が完了したと判定した場合（Ｓ１４：ＹＥＳ）、ＣＰＵ１６ａは、自装置の位置を特定する処理を行う（ステップＳ１５）。このとき、ＣＰＵ１６ａは、配列された表示装置１Ａ〜１Ｆの行方向及び列方向における自装置の各側に隣接する表示装置１の数に基づいて位置を特定する。例えば、表示装置１ＡのＣＰＵ１６ａは、自装置の右側には１つの他の表示装置１が配され、下側には２つの他の表示装置１が配され、上側及び左側には他の表示装置１が配されていないということに基づいて、自装置が左上に配されていることを特定する。ＣＰＵ１６ａはステップＳ１５で制御プログラム１６ｅを実行することにより、本発明の特定部として機能する。
【００４７】
その後、ＣＰＵ１６ａは、画像信号が入力されているか否かを判定する（ステップＳ１６）。ＣＰＵ１６ａは、例えば画像信号入力部１４ａに画像信号が入力されたか否か、又は接続部１８を介してＮＦＣモジュール３から画像信号が入力されたか否かにより判定を行う。画像信号が入力されていないと判定した場合（Ｓ１６：ＮＯ）、ＣＰＵ１６ａは、画像信号が入力されるまで待機する。一方、画像信号が入力されていると判定した場合（Ｓ１６：ＹＥＳ）、ＣＰＵ１６ａは入力された画像信号に基づいて、自装置の各部を制御し、液晶パネル１０ａに当該画像信号が表す画像を表示し（ステップＳ１７）、処理を終える。
【００４８】
図８は、取得処理のサブルーチンを示すフローチャートである。表示装置１における制御部１６のＣＰＵ１６ａは、図７中のステップＳ１１で判定した側に隣接する表示装置１に、ステップＳ１１で判定した側に配された自装置と異なる他の表示装置１の数を送信させるための要求を送信する（ステップＳ２１）。具体的には、ＣＰＵ１６ａは、当該要求を生成し、生成した要求を送信する指令を自装置のＮＦＣモジュール３に接続部１８を介して出力する。当該指令を入力したＮＦＣモジュール３は、当該要求を含む情報（要求信号）の変調を行い、隣接する表示装置１に接続されたＮＦＣモジュール３に近距離無線通信により当該要求を含む情報を送信する。例えば、表示装置１ＡのＣＰＵ１６ａは、ステップＳ１１で自装置の右側について判定を行ったとき、ステップＳ２１の処理で自装置の右側に接続されたＮＦＣモジュール３から表示装置１Ｂの左側に接続されたＮＦＣモジュール３に、当該要求を送信する。
【００４９】
その後、ＣＰＵ１６ａは、送信した要求に対応する表示装置１の数をＮＦＣモジュール３が受信したか否かを判定する（ステップＳ２２）。ＣＰＵ１６ａは、例えば接続部１８を介して、要求を送信した自装置のＮＦＣモジュール３から当該要求に対応する表示装置１の数が入力されたか否かにより判定を行う。対応する表示装置１の数を受信していないと判定した場合（Ｓ２２：ＮＯ）、ＣＰＵ１６ａは、当該表示装置１の数を受信するまで待機する。例えば、表示装置１Ａは、ステップＳ２１で自装置の右側に隣接する表示装置１Ｂに要求を送信した場合、ステップＳ２２で、自装置の右側に配された表示装置１の数を表示装置１Ｂから受信したか否かを判定する。
【００５０】
対応する表示装置１の数を受信したと判定した場合（Ｓ２２：ＹＥＳ）、ＣＰＵ１６ａは、ステップＳ１１で判定した側に配された自装置と異なる他の表示装置１の数として、受信した表示装置１の数をＲＡＭ１６ｃに一時記憶する（ステップＳ２３）。その後、ＣＰＵ１６ａは、図７中のステップＳ１４に処理を戻す。例えば、表示装置１Ａは、ステップＳ１１で自装置の右側について判定を行ったとき、表示装置１Ｂから受信した値１を、自装置の右側に配された表示装置１の数として、ステップＳ２３でＲＡＭ１６ｃに一時記憶する。
【００５１】
図７及び図８に示した処理をＣＰＵ１６ａが行うことにより、当該ＣＰＵ１６ａを搭載する表示装置１は、他の表示装置１と全体で１枚の画像を表示するように、当該画像の該当箇所を拡大表示することができる。例えば、図６で示した例では、表示装置１Ａにおける制御部１６のＣＰＵ１６ａが、図７及び図８の処理を行う。次に、表示装置１が、自装置に隣接する表示装置１からの要求を受信したときの処理手順について説明する。
【００５２】
図９は、表示装置１が自装置に隣接する表示装置１から要求を受信したときの処理手順を示すフローチャートである。表示装置１における制御部１６のＣＰＵ１６ａは、自装置に隣接する表示装置１のＮＦＣモジュール３から要求を受信したか否かを判定する（ステップＳ３１）。ＣＰＵ１６ａは例えば、接続部１８を介して自装置のＮＦＣモジュール３から要求が入力されたか否かにより判定を行う。例えば、表示装置１ＢのＣＰＵ１６ａは、自装置の左側に接続されたＮＦＣモジュール３から要求が入力されたか否かにより、左側に隣接する表示装置１Ａからの当該要求を受信したか否かを判定する。要求を受信していないと判定した場合（Ｓ３１：ＮＯ）、ＣＰＵ１６ａは要求を受信するまで待機する。      
【００５３】
要求を受信したと判定した場合（Ｓ３１：ＹＥＳ）、ＣＰＵ１６ａは、当該要求の送信元の表示装置１と反対側に隣接する表示装置１の存在の有無を判定する（ステップＳ３２）。ＣＰＵ１６ａは、例えば要求を受信したＮＦＣモジュール３が接続されている接続部１８の反対側の接続部１８に、ＮＦＣモジュール３が接続されているか否かにより判定を行う。例えば、表示装置１ＢのＣＰＵ１６ａは、ステップＳ３２で自装置の左側に隣接する表示装置１Ａから要求が入力された場合、自装置の右側にＮＦＣモジュール３が接続されているか否かにより、右側に隣接する表示装置１の有無を判定する。ＣＰＵ１６ａはステップＳ３２で制御プログラム１６ｅを実行することにより、本発明の第２判定部として機能する。
【００５４】
要求の送信元の表示装置１と反対側に隣接する表示装置１が存在しないと判定した場合（Ｓ３２：ＮＯ）、ＣＰＵ１６ａは、受信した要求に対応する表示装置１の数を１と決定し（ステップＳ３３）、ステップＳ３６に処理を進める。例えば、表示装置１ＢのＣＰＵ１６ａは、右側に隣接する表示装置１が存在しないため、左側に隣接する表示装置１Ａから受信した要求に対応する表示装置１の数を１とする。ＣＰＵ１６ａはステップＳ３３で制御プログラム１６ｅを実行することにより、本発明の決定部として機能する。
【００５５】
要求の送信元の表示装置１と反対側に隣接する表示装置１が存在すると判定した場合（Ｓ３２：ＹＥＳ）、ＣＰＵ１６ａは、取得処理を行う（ステップＳ３４）。ＣＰＵ１６ａは取得処理において、当該反対側に隣接する表示装置１と通信を行い、当該反対側に配された自装置と異なる他の表示装置１の数を取得する。例えば、表示装置１ＣのＣＰＵ１６ａは、自装置の上側に隣接する表示装置１Ａから要求を受信したとき、ステップＳ３２で自装置の下側に隣接する表示装置１Ｅが存在すると判定し、ステップＳ３４の取得処理を行う。なお、ステップＳ３４の取得処理の処理手順は、図８に示したサブルーチンの処理と同様の処理手順であるため、説明を省略する。ここで、ＣＰＵ１６ａはステップＳ３４で制御プログラム１６ｅを実行することにより、本発明の第２取得部として機能する。
【００５６】
次いで、ＣＰＵ１６ａは、ステップＳ３４の取得処理で取得した数に１を加えた値を、ステップＳ３１で受信した要求に対応する表示装置１の数として決定する（ステップＳ３５）。ＣＰＵ１６ａはステップＳ３５で制御プログラム１６ｅを実行することにより、本発明の決定部として機能する。
【００５７】
その後、ＣＰＵ１６ａは、受信した要求の送信元の表示装置１に、ステップＳ３５で決定した当該要求に対応する表示装置１の数を送信する（ステップＳ３６）。具体的には、ＣＰＵ１６ａは、当該表示装置１の数を送信する指令を自装置のＮＦＣモジュール３に接続部１８を介して出力する。当該指令が入力されたＮＦＣモジュール３は、当該表示装置１の数を含む信号を変調し自装置に隣接する他の表示装置１に接続されたＮＦＣモジュール３に近距離無線通信により変調した信号を送信する。例えば、表示装置１ＣのＣＰＵ１６ａは、受信した要求の送信元の表示装置１Ａに、ステップＳ３５で決定した当該要求に対応する表示装置１の数を送信する。このとき、ＣＰＵ１６ａは制御プログラム１６ｅを実行することにより、本発明の応答指示部として機能する。その後、ＣＰＵ１６ａは処理を終える。
【００５８】
図９に示した処理をＣＰＵ１６ａが行うことにより、当該ＣＰＵ１６ａを搭載する表示装置１は、自装置に隣接する表示装置１から受信した要求に対応する表示装置１の数を送信することができる。図６で示した例では、表示装置１Ｂ、１Ｃ、及び１Ｅ夫々における制御部１６のＣＰＵ１６ａが、図９の処理を行う。なお、表示装置１Ｅは、表示装置１Ｃが図９中のステップＳ３４の処理を行うことに起因して、当該図９の処理を行う。
【００５９】
以上の構成及び処理によって、マトリクス状に配された各表示装置１が、自装置に隣接する表示装置１と通信を行い、自装置が配された位置を特定することができる。そのため、各表示装置１が、特定した位置に応じた画像を表示することで大画面表示を行うことができる。また、各表示装置１が夫々独立に自装置が配された位置を特定するため、柔軟に当該各表示装置１を配置することができる。また、ＮＦＣモジュール３が着脱可能に構成されているため、各表示装置１が配される位置に応じて、各表示装置１に接続するＮＦＣモジュール３の数を変えることができるため、各辺部にＮＦＣモジュール３を設ける構成に比べてコストを低減することができる。また、筐体の各辺部に接続部１８を設けることにより、互いに隣接する表示装置１夫々に接続されたＮＦＣモジュール３間の距離を短くすることができるため、確実に近距離無線通信を行うことができる。更に、表示装置１は、自装置の筐体の辺部に設けられた接続部１８にＮＦＣモジュール３が接続されているか否かにより、隣接する表示装置１の有無を判定するため、隣接する表示装置１の存否を簡便に確認することができる。
【００６０】
（実施形態２）
実施形態１においては、ＮＦＣモジュール３が着脱自在に接続されている構成を示した。実施形態２においては、ＮＦＣモジュール３が予め表示装置１に取り付けられている例を示す。なお、以下で説明する構成及び作用を除くその他の構成及び作用は上述の実施形態１と同様であるため、同様の構成に関する詳細な説明及びその作用効果の説明は簡潔のため省略する。
【００６１】
実施形態２において、表示装置１は、筐体の各辺部に予めＮＦＣモジュール３を取り付けてある。ＮＦＣモジュール３の取り付け態様は、当該筐体内に内蔵されていてもよいし、図５に示したような状態でＮＦＣモジュール３が固定されていてもよい。
【００６２】
このように構成された実施形態２における表示装置１は、自装置の位置を特定し、画像を表示するとき、図７及び図８に示した処理と同様の処理を行う。実施形態２において、図７中のステップＳ１１の処理では、表示装置１における制御部１６のＣＰＵ１６ａは、ＮＦＣモジュール３が通信可能な状態であるか否かにより、隣接する表示装置１の存在の有無を判定する。それ以外の処理については、実施形態１と同様であるため、説明を省略する。
【００６３】
また、実施形態２における表示装置１は、隣接する表示装置１から要求を受信したとき、図９に示した処理と同様の処理を行う。実施形態２において、ステップＳ３２の処理では、ＣＰＵ１６ａは、ステップＳ３１の処理で要求を受信したＮＦＣモジュール３の反対側のＮＦＣモジュール３が通信可能な状態であるか否かにより、当該反対側に隣接する自装置と異なる他の表示装置１の存在の有無を判定する。それ以外の処理については、実施形態１と同様であるため、説明を省略する。
【００６４】
以上の構成及び処理によって、各表示装置１は、各辺で近距離無線通信ができる。従って、複数の表示装置１を並設してマルチディスプレイシステムを構築するとき、表示装置１の配置の変更を簡便に行うことができる。
【００６５】
（実施形態３）
実施形態１及び２において、入力装置２に接続されていない表示装置１は、接続部１８に接続されているＮＦＣモジュール３により近距離無線通信により画像信号が入力されることを説明した。実施形態３の各表示装置１は、自装置の位置を特定するときに必要な情報の送受信については、近距離無線通信による通信で行い、画像信号の送受信については、より高速な通信を可能とするプロトコルで行う。当該プロトコルは、例えばＢｌｕｅｔｏｏｔｈ（登録商標）に準拠した通信プロトコル、ＩＥＥＥ８０２．１１の各規格に準拠した通信プロトコル等である。このとき、ＮＦＣモジュール３に当該プロトコルによる通信が可能な構成を設けてもよいし、表示装置１内に当該構成を設けてもよい。
【００６６】
以上のように構成された複数の表示装置１が並設されたマルチディスプレイシステムにおいては、表示装置１間でより高速に画像信号を伝送することができるため、全体の表示品位を高めることができる。なお、その他の構成及び作用は上述の実施形態１及び２と同様であるため、同様の構成に関する詳細な説明及びその作用効果の説明は簡潔のため省略する。
【００６７】
（実施形態４）
実施形態１〜３において、表示装置１は、隣接する表示装置１と通信を行うとき、ＮＦＣモジュール３にて近距離無線通信を行うことを示した。実施形態４においては、表示装置１間で有線により通信を行う例を説明する。なお、以下で説明する構成及び作用を除くその他の構成及び作用は上述の実施形態１〜３と同様であるため、同様の構成に関する詳細な説明及びその作用効果の説明は簡潔のため省略する。
【００６８】
実施形態４における表示装置１の接続部１８は、例えばＤＶＩ（Digital Visual Interface）、ＨＤＭＩ（High Definition Multimedia Interface：登録商標）、ＶＧＡ（Video Graphics Array）等のインタフェースに対応する端子を含む。表示装置１及び隣接する表示装置１は、互いの接続部１８に各端部が接続された通信線を介して接続されている。例えば、図１中の表示装置１Ｃは、表示装置１Ａ、１Ｄ、及び１Ｅと夫々通信線を介して接続している。表示装置１は、制御部１６が接続部１８に接続された通信線に、自装置の位置を特定するときに送受信する情報及び画像信号を送出することにより、隣接する表示装置１との通信を行う。実施形態４において制御部１６は、本発明の通信部として機能する。
【００６９】
以上のように構成された複数の表示装置１がマトリクス状に並設されたマルチディスプレイシステムにおいては、隣接する表示装置１間で確実に通信を行うことができる。
【００７０】
本発明に係るマルチディスプレイシステムは、複数の表示装置（１）がマトリクス状に並設され、各表示装置（１）が配された位置に応じた画像を表示するマルチディスプレイシステムであって、前記複数の表示装置（１）は夫々、隣接する表示装置（１）と通信を行う通信部（３）と、行方向及び列方向における自装置の各側に隣接する表示装置（１）の有無を判定する判定部（１６ａ）と、該判定部（１６ａ）が有と判定した側に隣接する表示装置（１）との通信を前記通信部（３）に行わせ、前記判定部（１６ａ）が有と判定した側に配された自装置と異なる他の表示装置（１）の数を取得する取得部（１６ａ）と、該取得部（１６ａ）が取得した数及び前記判定部（１６ａ）の判定結果に基づいて、自装置が配された位置を特定する特定部（１６ａ）とを備えることを特徴とする。
【００７１】
本発明にあっては、マトリクス状に並設された複数の表示装置（１）夫々は、通信部（３）と、判定部（１６ａ）と、取得部（１６ａ）と、特定部（１６ａ）とを備える。通信部（３）は、自装置に隣接する表示装置（１）と通信を行う。判定部（１６ａ）は、行方向及び列方向における自装置の各側に隣接する表示装置（１）の有無を判定する。取得部（１６ａ）は、判定部（１６ａ）が有と判定した自装置の側に隣接する表示装置（１）との通信を自装置の通信部（３）に行わせ、当該判定部（１６ａ）が有と判定した自装置の側に配された自装置と異なる他の表示装置（１）の数を取得する。特定部（１６ａ）は、自装置の取得部（１６ａ）が取得した数及び自装置の判定部（１６ａ）の判定結果に基づいて、自装置が配された位置を特定する。従って、各表示装置（１）は、自装置に隣接する表示装置（１）と通信を行い、自装置が配された位置を特定することができる。そのため、各表示装置（１）が、特定した位置に応じた画像を表示することで大画面表示を行うことができる。また、各表示装置（１）が夫々独立に自装置が配された位置を特定するため、柔軟に当該各表示装置（１）を配置することができる。
【００７２】
本発明に係るマルチディスプレイシステムは、前記取得部（１６ａ）は、前記判定部（１６ａ）が有と判定した側に隣接する表示装置（１）へ、前記判定部（１６ａ）が有と判定した側に配された自装置と異なる他の表示装置（１）の数を送信させるための要求を前記通信部（３）に送信させるようにしてあり、前記複数の表示装置（１）は夫々、前記要求を前記通信部（３）が受信したとき、該要求に対応する表示装置（１）の数を決定する決定部（１６ａ）と、該決定部（１６ａ）が決定した表示装置（１）の数を、対応する要求の送信元の表示装置（１）へ前記通信部（３）に送信させる応答指示部（１６ａ）とを更に備え、前記取得部（１６ａ）は更に、前記判定部（１６ａ）が有と判定した側に隣接する表示装置（１）から、対応する表示装置（１）の数を前記通信部（３）が受信したとき、該表示装置（１）の数を、前記判定部（１６ａ）が有と判定した側に配された自装置と異なる他の表示装置の数として取得するようにしてあることを特徴とする。
【００７３】
本発明にあっては、取得部（１６ａ）は、自装置の判定部（１６ａ）が有と判定した側に隣接する表示装置（１）へ、当該判定部（１６ａ）が有と判定した側に配された自装置と異なる他の表示装置（１）の数を送信させるための要求を通信部（３）に送信させる。また、複数の表示装置（１）は夫々、決定部（１６ａ）と応答指示部（１６ａ）とを更に備える。決定部（１６ａ）は、要求を自装置の通信部（３）が受信したとき、当該要求に対応する表示装置（１）の数を決定する。応答指示部（１６ａ）は、自装置の決定部（１６ａ）が決定した表示装置（１）の数を、対応する要求の送信元の表示装置（１）へ通信部（３）に送信させる。更に、取得部（１６ａ）は、自装置の判定部（１６ａ）が有と判定した側に隣接する表示装置（１）から、対応する表示装置（１）の数を自装置の通信部（３）が受信したとき、当該表示装置（１）の数を取得する。取得部（１６ａ）は、当該表示装置（１）の数を、自装置の判定部（１６ａ）が有と判定した側に配された自装置と異なる他の表示装置（１）の数として取得する。従って、各表示装置（１）は、自装置の位置を特定するために隣接する表示装置（１）から情報を取得する動作と、隣接する表示装置（１）が配された位置を特定するために情報を提供する動作とを並列的に行うことができる。
【００７４】
本発明に係るマルチディスプレイシステムは、前記複数の表示装置（１）は夫々、前記要求を前記通信部（３）が受信したとき、該要求の送信元の表示装置と反対側に隣接する表示装置（１）の有無を判定する第２判定部（１６ａ）と、該第２判定部（１６ａ）が有と判定した場合、前記反対側に隣接する表示装置（１）との通信を前記通信部（３）に行わせ、前記反対側に配された自装置と異なる他の表示装置（１）の数を取得する第２取得部（１６ａ）とを更に備え、前記決定部（１６ａ）は、前記第２判定部（１６ａ）が有と判定した場合、前記第２取得部（１６ａ）が取得した自装置と異なる他の表示装置（１）の数に１を加算した値を、前記要求に対応する表示装置（１）の数として決定するようにしてあり、前記第２判定部（１６ａ）が無と判定した場合、前記要求に対応する表示装置（１）の数を１と決定するようにしてあることを特徴とする。
【００７５】
本発明にあっては、複数の表示装置（１）は夫々、第２判定部（１６ａ）と第２取得部と（１６ａ）を更に備える。第２判定部（１６ａ）は、要求を自装置の通信部（３）が受信したとき、当該要求の送信元の表示装置（１）と反対側に隣接する表示装置（１）の有無を判定する。第２取得部（１６ａ）は、自装置の第２判定部（１６ａ）が有と判定した場合、当該反対側に配された自装置と異なる他の表示装置（１）の数を取得する。また、決定部（１６ａ）は、第２判定部（１６ａ）が有と判定した場合、第２取得部（１６ａ）が取得した自装置と異なる他の表示装置（１）の数に１を加算した値を、当該要求に対応する表示装置（１）の数として決定する。決定部（１６ａ）は、第２判定部（１６ａ）が無と判定した場合、当該要求に対応する表示装置（１）の数を１と決定する。従って、各表示装置（１）は、隣接する表示装置（１）が配された位置を特定するための情報を、当該隣接する表示装置（１）と反対側に隣接する表示装置（１）と通信を行うことにより、取得することができる。そのため、位置を特定するための情報を効率よく取得することができる。
【００７６】
本発明に係るマルチディスプレイシステムは、前記複数の表示装置（１）は夫々、背面の各縁部領域に接続部（１８）を設けてあり、前記通信部（３）は、前記接続部（１８）に着脱可能に接続され、接続された接続部（１８）が設けられている縁部領域に隣接する表示装置（１）と近距離無線通信により通信を行うように構成されていることを特徴とする。
【００７７】
本発明にあっては、複数の表示装置（１）は夫々、背面の各縁部の領域に接続部（１８）を設けてある。通信部（３）は、自装置の接続部（１８）に着脱可能に接続され、接続された接続部（１８）が設けられている辺部に隣接する表示装置（１）と近距離無線通信により通信を行う。従って、通信部（３）が着脱可能に構成されているため、配置位置に応じて、各表示装置（１）に接続する通信部（３）の数を変えることができるため、各辺部に通信部（３）を設ける構成に比べてコストを低減することができる。また、表示面と反対側の面の各縁部領域に接続部（１８）を設けることにより、互いに隣接する表示装置（１）夫々に接続された通信部（３）間の距離を短くすることができるため、確実に近距離無線通信により通信を行うことができる。
【００７８】
本発明に係るマルチディスプレイシステムは、前記判定部（１６ａ）は、行方向及び列方向における自装置の各側の前記縁部領域に設けられた接続部（１８）に前記通信部（３）が接続されているか否かにより、前記行方向及び列方向における自装置の各側に隣接する表示装置（１）の有無を判定するようにしてあることを特徴とする。
【００７９】
本発明にあっては、判定部（１６ａ）は、行方向及び列方向における自装置の各側の縁部領域に設けられた接続部（１８）に通信部（３）が接続されているか否かにより、当該行方向及び列方向における自装置の各側に隣接する表示装置（１）の有無を判定する。従って、隣接する表示装置（１）の存否を簡便に確認することができる。
【００８０】
本発明に係る表示装置（１）は、マトリクス状に配された位置に応じた画像を表示するマルチディスプレイ用の表示装置（１）であって、他の表示装置（１）と通信を行う通信部（３）と、行方向及び列方向における自装置の各側に隣接する表示装置（１）の有無を判定する判定部（１６ａ）と、該判定部（１６ａ）が有と判定した側に隣接する表示装置（１）との通信を前記通信部（３）に行わせ、前記判定部（１６ａ）が有と判定した側に配された自装置と異なる他の表示装置（１）の数を取得する取得部（１６ａ）と、該取得部（１６ａ）が取得した数及び前記判定部（１６ａ）の判定結果に基づいて、自装置（１）が配された位置を特定する特定部（１６ａ）とを備えることを特徴とする。
【００８１】
本発明にあっては、通信部（３）は、マトリクス状に配された他の表示装置（１）と通信を行う。判定部（１６ａ）は、行方向及び列方向における自装置の各側に隣接する表示装置（１）の有無を判定する。取得部（１６ａ）は、判定部（１６ａ）が有と判定した側に隣接する表示装置（１）との通信を通信部（３）に行わせ、当該判定部（１６ａ）が有と判定した側に配された自装置と異なる他の表示装置（１）の数を取得する。特定部（１６ａ）は、取得部（１６ａ）が取得した数及び判定部（１６ａ）の判定結果に基づいて、自装置が配された位置を特定する。従って、表示装置（１）は、自装置に隣接する表示装置（１）と通信を行い、自装置が配された位置を特定することができる。そのため、表示装置（１）は、特定した位置に応じた画像を表示することができ、マルチディスプレイシステムにおいて大画面表示を行うことができる。また、当該表示装置（１）を複数用いてマルチディスプレイシステムを構築する場合、夫々独立に自装置が配された位置を特定することができるため、柔軟に当該各表示装置（１）を配置することができる。
【００８２】
本発明に係る位置特定方法は、通信機能を有する表示装置（１）が、一又は複数の他の表示装置（１）と共にマトリクス状に配されたときに自装置の位置を特定する位置特定方法であって、行方向及び列方向における自装置の各側に隣接する表示装置（１）の有無を判定する判定ステップと、該判定ステップで有と判定した側に隣接する表示装置（１）と通信を行い、前記判定ステップで有と判定した側に配された自装置と異なる他の表示装置（１）の数を取得する取得ステップと、該取得ステップで取得した数及び前記判定ステップでの判定結果に基づいて、自装置が配された位置を特定する特定ステップとを含むことを特徴とする。
【００８３】
本発明にあっては、判定ステップは、行方向及び列方向における自装置の各側に隣接する表示装置（１）の有無を判定する。取得ステップは、判定ステップで有と判定した側に隣接する表示装置（１）との通信を行い、当該判定ステップで有と判定した側に配された表示装置（１）の数を取得する。特定ステップは、取得ステップで取得した数及び判定ステップでの判定結果に基づいて、自装置が配された位置を特定する。従って、当該位置特定方法によって、表示装置（１）は、自装置に隣接する表示装置（１）と通信を行い、自装置が配された位置を特定することができる。そのため、当該表示装置（１）は、特定した位置に応じた画像を表示することができ、マルチディスプレイシステムにおいて大画面表示を行うことができる。また、当該位置特定方法によって自装置の位置を特定する表示装置（１）を複数用いてマルチディスプレイシステムを構築する場合、夫々独立に自装置が配された位置を特定することができるため、当該各表示装置（１）を柔軟に配置することができる。
【００８４】
本発明に係るコンピュータプログラム（１６ｅ、４１）は、通信機能を有するマルチディスプレイ用の表示装置（１）を構成するコンピュータに、マトリクス状に配されたときにおける自装置の位置に応じた画像を表示させるコンピュータプログラム（１６ｅ、４１）であって、コンピュータに、行方向及び列方向における自装置の各側に隣接する表示装置（１）の有無を判定する判定ステップと、該判定ステップで有と判定した側に隣接する表示装置（１）と通信を行い、前記判定ステップで有と判定した側に配された自装置と異なる他の表示装置（１）の数を取得する取得ステップと、該取得ステップで取得した数及び前記判定ステップでの判定結果に基づいて、自装置が配された位置を特定する特定ステップとを実行させることを特徴とする。
【００８５】
本発明にあっては、判定ステップと、取得ステップと、特定ステップとをコンピュータに実行させる。判定ステップは、行方向及び列方向における自装置の各側に隣接する表示装置（１）の有無を判定する。取得ステップは、判定ステップで有と判定した側に隣接する表示装置（１）と通信を行い、当該判定ステップで有と判定した側に配された自装置と異なる他の表示装置（１）の数を取得する。特定ステップは、取得ステップで取得した数及び判定ステップでの判定結果に基づいて、自装置が配された位置を特定する。従って、当該コンピュータプログラム（１６ｅ、４１）は表示装置（１）に、自装置に隣接する表示装置（１）と通信を行わせ、自装置が配された位置を特定させることができる。そのため、当該表示装置（１）は、特定した位置に応じた画像を表示することができ、マルチディスプレイシステムにおいて大画面表示を行うことができる。また、当該コンピュータプログラム（１６ｅ、４１）によって自装置の位置を特定する表示装置（１）を複数用いてマルチディスプレイシステムを構築する場合、夫々独立に自装置が配された位置を特定することができるため、当該各表示装置（１）を柔軟に配置することができる。
【００８６】
本発明に係るコンピュータでの読み取りが可能な記録媒体（４）は、上述のコンピュータプログラム（１６ｅ、４１）を記録してあることを特徴とする。
【００８７】
本発明にあっては、記録媒体（４）に上述のコンピュータプログラム（１６ｅ、４１）を記録する。コンピュータが当該記録媒体からコンピュータプログラム（１６ｅ、４１）を読み出して、上述の表示装置（１）及び表示方法がコンピュータにより実現される。
【００８８】
更に、今回開示された実施形態は全ての点で例示であって、制限的なものではないと考えられるべきである。本発明の範囲は、上記した意味ではなく、特許請求の範囲によって示され、特許請求の範囲と均等の意味及び範囲内での全ての変更が含まれることが意図される。
【符号の説明】
【００８９】
１  表示装置
３  ＮＦＣモジュール（通信部）
４  記録媒体
１６  制御部
１６ａ  ＣＰＵ（取得部、判定部、特定部、決定部、応答指示部、第２判定部、第２取得部）
１６ｅ  制御プログラム
１８  接続部
４１  制御プログラム
【図１】
2016009075.tif 000003
【図２】
2016009075.tif 000004
【図３】
2016009075.tif 000005
【図４】
2016009075.tif 000006
【図５】
2016009075.tif 000007
【図６】
2016009075.tif 000008
【図７】
2016009075.tif 000009
【図８】
2016009075.tif 000010
【図９】
2016009075.tif 000011